(57)【要約】【課題】     看板の大型化に伴い、サインポールも大型化しているが、サインポールを設置しようとする場所の周囲には、上下水道管などの埋設物や架線類、植栽、塀などの既存施設が存在している場所が多く、これらの健全性を維持しながら、基礎工事を行うことは、次第に困難になりつつある。【解決手段】  地盤に立設する鋼管杭と、この鋼管杭に下部を挿入して支持される支柱とからなる看板掲示用サインポールにおいて、鋼管杭は、筒状をなし、下端付近外周には、地盤中に回転掘進させる為の螺旋翼を付設し、杭頭内径側には、軸芯と直交する方向に内径側を塞ぐ閉塞板を固着し、該閉塞板の上面には、前記支柱を挿入した際に、支柱の軸芯と鋼管杭の軸芯とが一致する様に、支柱下端部の位置決めを行う位置決め用突起を形成すると共に、上端寄りの壁面には、挿入された支柱をその周囲から押圧挟持するボルトを３本以上放射状に取付けた。【選択図】  図２
2012255917.tif 000002
【特許請求の範囲】
【請求項１】
地盤に立設する鋼管杭と、この鋼管杭に脚部を挿入して支持される支柱とからなる看板掲示用サインポールであって、鋼管杭は、筒状をなし、下端付近外周には、地盤中に回転掘進させる為の螺旋翼が付設されており、杭頭内径側には、軸芯と直交する方向に内径側を塞ぐ閉塞板が固着されており、該閉塞板の上面には、前記支柱を挿入した際に、支柱の軸芯と鋼管杭の軸芯とが一致する様に、支柱下端部の位置決めを行う位置決め用突起が形成されていると共に、上端寄りの壁面には、挿入された支柱をその周囲から押圧挟持するボルトが３本以上放射状に取り付けられており、鋼管杭と支柱とに挟まれた空間に硬化性流動物を充填し、鋼管杭と支柱とを一体化させることを特徴とする看板掲示用サインポール。
【請求項２】
位置決め用突起が、下端が支柱の内径よりわずかに短い長さを、上端が下端より更に短い長さを有する台形状をなした肉圧の鋼板を十字形に組み合わせてなり、閉塞板の上面中央に、閉塞板の軸芯と一致する様に固着されていることを特徴とする請求項１記載の看板掲示用サインポール。
【請求項３】
上辺より下辺が長いテーパー状の鋼板からなる位置決め用突起を３個以上、放射状に、閉塞板の上面と鋼管杭２の内周壁面とに固定したことを特徴とする請求項１記載の看板掲示用サインポール。
【請求項４】
支柱の脚部及び鋼管杭の杭頭内面の少なくともどちらか一方に、ずれ止め用突条を形成したことを特徴とする請求項１記載の看板掲示用サインポール。
【請求項５】
地盤に立設する鋼管杭と、この鋼管杭に脚部を挿入して支持される支柱とからなる看板掲示用サインポールであって、鋼管杭は、筒状をなし、下端付近外周には、地盤中に回転掘進させる為の螺旋翼が付設されており、杭頭内径側には、軸芯と直交する方向に内径側を塞ぐ閉塞板が固着されており、該閉塞板の上面には、前記支柱を挿入した際に、支柱の軸芯と鋼管杭の軸芯とが一致する様に、支柱下端部の位置決めを行う位置決め用突起が形成されていると共に、上方へ行くに従って、厚さが大きくなる台形状をなした３個以上の楔７を、鋼管杭の杭頭開口部と支柱の外周との間の隙間に等間隔で打ち込む様になっており、鋼管杭と支柱とに挟まれた空間に硬化性流動物を充填し、鋼管杭と支柱とを一体化させることを特徴とする看板掲示用サインポール。
【請求項６】
請求項１に係る看板掲示用サインポールの鋼管杭を一対、取りはずし自在の離間距離保持具によって、離間距離を保持した状態でそれぞれ立設させる様にしたことを特徴とする２本タイプの看板掲示用サインポール。
【請求項７】
請求項５に係る看板掲示用サインポールの鋼管杭を一対、取りはずし自在の離間距離保持具によって、離間距離を保持した状態でそれぞれ立設させる様にしたことを特徴とする２本タイプの看板掲示用サインポール。
【発明の詳細な説明】
【技術分野】
【０００１】
この発明は、支柱に看板を取付ける看板掲示用サインポール、詳しくは、基礎コンクリートが必要なく、施工及び撤去が容易で、十分な強度を有し、信頼性も高い看板掲示用サインポールに関するものである。
【背景技術】
【０００２】
看板を掲示する為のサインポールは、商品や役務等を広告、告知する為、道路沿いなど多くの場所に設置されているが、従来から存在しているサインポールの多くは、コンクリート基礎で支柱が支持される構造、つまり、アンカー体を埋め込んだ基礎コンクリートを設置した後、支柱をアンカー体に接続して立設する方式を用いていた。
【先行技術文献】
【特許文献】
【０００３】
【特許文献１】特開平５−１９７０６公報
【特許文献２】特開２００１−３０６００７公報
【特許文献３】特開２００４−２７９７２２公報
【非特許文献】
【０００４】
【非特許文献１】なし
【発明の概要】
【発明が解決しようとする課題】
【０００５】
昨今の看板の大型化に伴い、サインポールも大型化しており、その結果、基礎コンクリートも大型化し、施工工事が大規模にならざるを得ず、それに伴い工事コストも増大していた。ちなみに、高さ１０ｍのサインポールの場合、地盤の状態にもよるが、基礎コンクリートの寸法は、幅と長さが２．５ｍ、深さが１．５ｍ程度の大きさを必要としていた。又、軟弱地盤の場合には、基礎コンクリートの下部を地盤改良してからコンクリートを打設する場合が多く、当然ながらその分コストも余分にかかっていた。又、都市部では、地盤の掘削に伴う残土の排出作業も容易ではなく、商店街の店舗営業中のサインポール工事において発生する掘削残土などは、景観上も大きな問題であった。
【０００６】
更に、サインポールを設置しようとする場所の周囲には、排水溝などの道路施設、上下水道管などの埋設物、通信線などの架線類、街路樹などの植栽、塀などの隣接構造物等々さまざまな既存施設があり、これらの健全性を持続しながら、大きな基礎コンクリートを設ける工事は、次第に難しくなりつつある。
【０００７】
一方、サインポールの使用年限は比較的短く、１０年程度で撤去されることが多いが、この際の基礎コンクリートの撤去工事も、手間、時間及びコストが相当にかかるといった問題があった。
【０００８】
前記特許文献１乃至３に開示された技術は、いずれも上記課題を解決することを意図して発明されたものである。
【０００９】
即ち、特許文献１には、杭状の基礎材を設置した後、基礎材上端に設けたフランジと支柱下端のフランジを接合したり、基礎材の中に支柱を挿入し、ボルトや翼を用いて支柱を基礎材に固定する看板の設置方法が開示されているが、これらの方法は、いずれも、支柱の鉛直精度が基礎材の設置精度に左右されるという欠点を持つ。又、基礎材の設置精度は通常１/１００から１/２００程度であるが、サインポールがこの程度の鉛直精度では、通行人が目視で傾いていることがわかり、構造上は問題なくとも、外観上は大きな問題となる。又、支柱と基礎材との接触部が非常に狭く、暴風時の風圧力が繰り返し作用すると、接触部がずれたり損傷したりする恐れがあり、構造上の問題もあった。
【００１０】
又、特許文献２には、ポール看板におけるポールの基端部を地表面から適宜の深さに掘削されて形成された埋設用縦穴内に挿入した後に、ポールの基端部における外周と埋設用縦穴の内周との間に出現する空間部にコンクリートを充填し、この充填したコンクリートの固化によってポールを立設させてなるポール看板の立設方法において、上記の空間部に充填したコンクリートが固化するまでの間にポールが傾倒することを阻止する自立幇助部材をポールの基端部に取り付けた状態でこのポールの基端部を上記の埋設用縦穴内に挿入する様にしたポール看板の立設方法が開示されているが、この方法では、基礎の構築の際、穴掘り、鋼管等の挿入、コンクリート充填という３ステップが必要となり、基礎の構築にコストがかかるという欠点があった。又、下端のポール保持部の構造が不安定で強度上の信頼性も低く、しかも、ポール保持部を設けるために広いスペースが必要であり、鋼管等の内径はポール本体径の数倍（明細書では７００〜９００ｍｍ）必要となり、非常に不経済であった。また、前記特許文献
１に開示されているものと同様に、ポール本体と基礎との接触部面積が小さく、構造上の安全性に不安が残っていた。
【００１１】
更に、特許文献３には、ポール埋設用縦穴を掘削した後、ポール基端部を挿入してからコンクリートを充填してポールを固定する際に、コンクリートが硬化するまでポールを自立させるために、数例の自立幇助部材を用いることが開示されている。しかし、いずれの自立幇助部材も、コンクリート硬化前の仮支持材としては機能するが、ポールの鉛直精度の確保という点では役に立っておらず、ポールの鉛直精度は、穴の掘削精度や太径パイプの設置精度で決まってしまうという問題点が存在していた。
【００１２】
本発明者は、看板掲示用サインポール設置に関する上記各問題点に鑑み、設置及び撤去が容易で、掘削残土が発生せず、既設設置物が錯綜している都市部においても、工事がしやすく、十分な強度を有し、信頼性にもすぐれ、上記従来技術の問題点をほぼ解消することが出来るサインポールを開発することに成功し、本発明として、ここに提案するのである。
【課題を解決するための手段】
【００１３】
地盤に立設する鋼管杭と、この鋼管杭に下部を挿入して支持される支柱とからなる看板掲示用サインポールであって、鋼管杭は、筒状をなし、下端付近外周には、地盤中に回転掘進させる為の螺旋翼を付設し、杭頭内径側には、軸芯と直交する方向に内径側を塞ぐ閉塞板を固着し、該閉塞板の上面には、前記支柱を挿入した際に、支柱の軸芯と鋼管杭の軸芯とが一致する様に、支柱下端部の位置決めを行う位置決め用突起を形成すると共に、上端寄りの壁面には、挿入された支柱をその周囲から押圧挟持するボルトを３本以上放射状に取付け、鋼管杭と支柱とに挟まれた空間に硬化性流動物を充填して鋼管杭と支柱とを一体化させることにより、上記課題を解決した。
【発明の効果】
【００１４】
サインポールを設置しようとする地盤中に、鋼管杭をその螺旋翼のねじ込み作用により、回転貫入させ、杭頭が地表面付近に露出した状態にし、しかる後、支柱の脚部を鋼管杭に挿入する。脚部の開口部は位置決め用突起の傾斜面に案内されて閉塞板の上面に突き当たり、位置決め用突起によって、支柱の下端の位置決めが固定される。この状態において、鋼管杭の壁面に形成されているネジ穴にボルトを差し込み、ボルトの先端を支柱の周壁外面に突き当て、ボルトのねじ込み量を調整することにより、支柱が鉛直になる様に調整し、この状態で、硬化性流動物を鋼管杭と支柱とに挟まれた空間に充填して鋼管杭と支柱とを一体化し、サインポール設置を完了する。
【００１５】
回転貫入により鋼管杭を地盤中にねじ込んで基礎とするので、基礎コンクリートが不要で、掘削残土も発生せず、都市部での工事も容易で、工事の障害となりやすい既存設置があっても工事が可能で、撤去する際には逆回転させることで鋼管杭を容易に引き抜けるので、撤去作業も容易である。又、支柱の鉛直精度も確実に確保でき、基礎となる鋼管杭と支柱の接合部を硬化性流動物で固めているので、十分な接合強度を有し、すぐれた信頼性を有する。
【００１６】
更に、鋼管抗に付設されている螺旋翼は地盤中において、鉛直支持力増強にも役立っており、非常に柔らかな地盤中にも杭先端を留められるので、軟弱地盤にもサインポールを安定的に設置出来る等の効果を有し、従来のものに比べ、格段にすぐれている。
【図面の簡単な説明】
【００１７】
【図１】この発明に係る看板掲示用サインポールの実施例１の全体の正面図。
【図２】同じく、その要部の拡大縦断面図。
【図３】同じく、その位置決め用突起の拡大斜視図。
【図４】同じく、位置決め用突起の他の例を用いた要部の拡大縦断面図。
【図５】同じく、ボルトの取付け位置を変更した例の要部の拡大縦断面図。
【図６】図４の横断面図。
【図７】根巻きコンクリートを形成した例の縦断面図。
【図８】ずれ止め用突条を形成した例の縦断面図。
【図９】実施例２の要部の拡大縦断面図。
【図１０】実施例３において用いる離間距離保持具の一例の正面図。
【図１１】実施例３において用いる離間距離保持具の他の例の正面図。
【図１２】実施例３の工事途中の状況の正面図。
【図１３】実施例３の完成状況の正面図。
【発明を実施するための形態】
【００１８】
回転貫入により、地盤に立設する鋼管杭と、この鋼管杭に挿入する支柱からサインポールを構成すると共に、位置決め用突起、ボルト等によって、支柱の鉛直精度を保持し、硬化性流動物によって、両者の接合強度を維持する様にした点に最大の特徴が存する。
【実施例１】
【００１９】
図中１はこの発明に係る看板掲示用サインポールの実施例１の全体の正面図、図２はその要部の拡大縦断面図である。
【００２０】
図中、１は支柱、２は鋼管杭であり、この看板掲示用サインポールは地盤３に立設する鋼管杭２と、この鋼管杭２に脚部を挿入して支持される支柱１とかから構成されている。
【００２１】
鋼管杭２は円筒状をなしており、下端付近の外周には、地盤３中に回転掘進させる為の螺旋翼４が付設されており、その杭頭内径側には、その軸芯と直交する方向、即ち横向きに、円盤状をなした閉塞板５が、内径側を塞ぐ様に、その内周壁面６との溶接等により、強固に固着されている。
【００２２】
なお、この閉塞板５の固着位置は、支柱１の外径の略１．５〜３倍に相当する長さ分だけ、鋼管杭２の杭頭開口部より下った位置となっている。ちなみに、１．５倍を下回ると、支柱１と鋼管杭２の接合箇所の強度が著しく低下する為、好ましくなく、逆に、３倍を超えても、接合箇所の強度はそれ程上がらず、支柱１の挿入量が増す分だけ不経済となるので、好ましくない。
【００２３】
又、この実施例においては、鋼管杭２は円筒状をなしているが、長方形や正方形など方形断面の鋼管を用いても良い。
【００２４】
支柱１は、看板２４を保持する長尺状をなした鋼管であり、この支柱１には、看板取り付け用のブラケット（図示省略）があらかじめ付設されている。
【００２５】
又、この支柱１も鋼管杭２と同様、円筒状のもののほか、正方形や長方形など方形断面のものを用いることが出来、看板２４を保持するという性質上、方形断面のものを用いる場合が多い。
【００２６】
一方、この閉塞板５の上面には、鋼管杭２の内径側に支柱１の脚部を挿入した際、支柱１の軸芯と鋼板杭２の軸芯とが一致する様に、支柱１の下端部の位置決めを行う位置決め用突起７が形成されている。この位置決め用突起７は、図２に示す様に、下端が支柱１の内径側直径Ａよりわずかに短い長さ、上端がそれより更に短い長さを有する台形状をなした肉厚の鋼板１０を十字形に組合せたものであり、閉塞板５の上面中央に、閉塞板５の軸芯と一致する様に、溶接されて強固に固着せしめられている。
【００２７】
更に、鋼管杭２の杭頭付近の壁面には、軸芯と直交する方向に、等間隔で、３個以上のネジ穴８が形成されており、該ネジ穴８にそれぞれボルト１１を、内側に向ってねじ込める様になっている。
【００２８】
なお、ネジ穴８を鋼管杭２の杭頭付近の壁面に設けにくい場合やコストがかかる場合には、図５に示す様に、ネジ穴２５を設けた鉄片２６を鋼管杭２の貫入後に、杭頭上端縁に溶接等によって固着せしめる様にしても良い。
【００２９】
又、上記実施例においては、位置決め用突起７は閉塞板５の中央に設けられているが、図４に示す様に、上辺より下辺が長いテーパ状の鋼板からなる位置決め用突起１６を３個以上、放射状に、閉塞板５の上面と鋼管杭２の内周壁面とに接する様に取付けても良く、この構造は、鋼管杭２と支柱１の径差が大きいときには有効である。又、支柱１の肉厚が薄い場合や鋼管杭２への差し込み長さが短い場合には、曲げモーメントを受けた際に、断面変形しない様に、図４に示す様に、脚部の下端近傍内径側に補強材２８を固定しても良い。
【００３０】
支柱１と鋼管杭２とは、上記の通りの構成を有するものであり、サインポール設置しようとする地盤３中に、鋼管杭２をその螺旋翼４のネジ込み作用により、回転貫入させ、杭頭が地表面１４付近に露出した状態にする。鋼管杭２の回転貫入は、クローラ式ややぐら式の回転駆動機構を持った杭打ち機によって実施可能であり、掘削残土は排出されない。なお、最近では、非常に狭い現場でも施工可能なやぐら式杭打ち機が開発されており、これを用いれば都市部におけるサインポール設置工事にも十分対応出来る。
【００３１】
鋼管杭２の回転貫入が完了したなら、杭打ち機やクレーンなどにより支柱１を吊り、その脚部を鋼管杭２に挿入する。脚部の開口部１３は位置決め用突起７の傾斜面２９に案内されて閉塞板５の上面に突き当たり、位置決め用突起７によって、支柱１の下端の位置決めが行われる。
【００３２】
この状態において、鋼管杭２の周壁面に形成されているネジ穴８にボルト１１を差し入れ、ボルト１１の先端を支柱１の周壁外面に突き当て、ボルト１１のねじ込み量を調整することにより、支柱１が鉛直になる様に調整する。なお、ボルト１１をねじ込みやすくする為に、図２に示す様に、地表面１４付近の土砂を少し掘っておくと良い。
【００３３】
位置決め用突起７とボルト１１によって支柱１の脚部上端と下端はそれぞれ位置決めされ、支柱１は仮固定されたことになり、この状態で、硬化性流動物１２を鋼管杭２と支柱１とに挟まれた空間に充填して鋼管杭２と支柱１とを一体化し、サインポール設置を完了する。
【００３４】
硬化性流動物１２としては、コンクリート、モルタル、合成樹脂等が例示されるが、無収縮モルタルは、充填が容易であり、硬化後に隙間が発生せず、結合が強固であるので、硬化性流動物１２として最も好ましい。
【００３５】
なお、支柱１と鋼管杭２の接合箇所付近の鋼管杭２の腐食防止と外観向上を図る為、図７に示す様に、根巻きコンクリート１５を形成しても良い。
【００３６】
又、鋼管杭２と支柱１との径差が大きい場合や支柱１の差し込み長さが短い場合には、鋼管杭２に挿入されている支柱１が曲げモーメントを受けると、硬化した硬化性流動物１２と支柱１あるいは鋼管杭２との間にズレが発生し、接合強度が大きく低下する恐れがあるが、図８に示す様に、鉄筋や平鋼などからなるずれ止め用突条２７を支柱１の脚部や鋼管杭２の杭頭内面に設けると、ずれの発生を効果的に阻止することが出来る。
【００３７】
実施例１は上記の通りの構成を有するものであり、回転貫入により鋼管杭２を地盤中にねじ込んで基礎とするので、基礎コンクリートが不要で、掘削残土も発生せず、都市部での工事も容易で、工事の障害となりやすい既存設置があっても工事が可能で、逆回転させることで鋼管杭２を容易に引き抜けるので、撤去作業も容易である。
【００３８】
又、支柱１の鉛直精度も確実に確保でき、基礎となる鋼管杭２と支柱１の接合部を硬化性流動物１２で固めているので、十分な接合強度を有し、高い信頼性を持つ。
【００３９】
更に、鋼管抗２に付設されている螺旋翼４は地盤中において、鉛直支持力増強にも役立っており、非常に柔らかな地盤中にも杭先端を留められるので、軟弱地盤にもサインポールを安定的に設置出来る、等の効果を有し、従来のもののに比べ、格段にすぐれている。
【実施例２】
【００４０】
図９は、この発明に係るサインポールの実施例２の要部の縦断面図であり、この実施例２においては、前述の実施例１における支柱１の鉛直精度調整の為のボルト１１の代わりに、楔１７を用いている
即ち、上方へ行くに従い、厚さが大きくなった台形状をなした３個以上の楔１７を、鋼管杭２の杭頭開口部と支柱１の外周との間の隙間に等間隔で打ち込み、その打ち込み量（上端開口部からの挿入量）を調整することにより、支柱１の鉛直精度を調整する様にしている。他の部分は、前述の実施例１と同じであり、同一符号を付して説明を省略する。この実施例２は、鋼管杭２の杭頭にボルトを取付けられない場合に有効である。
【実施例３】
【００４１】
実施例３は、図１３に示す様な、２本の支柱からなるサインポールや３本以上の支柱からなる野立て形サインポールに関するものであり、図１２に示す様に、一対の鋼管杭２，２’は、離間距離保持具１８によって相互に連結されて、地盤３への設置が行われる様になっている。
【００４２】
離間距離保持具１８は、図１０に示す様に、長方形をなした一対の鋼板１９，１９をその長手方向側面同士を突き合わせ、接合箇所を小鋼板とボルトからなる複数の留め具２０によって取りはずし自在に固定したものであり、接合箇所、即ち長手方向軸芯に沿って、鋼管杭２の外径よりわずかに大きい内径の透孔２１が所定間隔で形成されたものである。
【００４３】
なお、離間距離保持具１８は、図１１に示す様に棒状体２２の両端に、蝶番で繋がれた２分割型円環材２３を取付けたものでも良い。
【００４４】
他の部分は、前述の実施例１と同じであるので、同一符号を付して、その説明を省略する。
【００４５】
この実施例３は、一対の鋼管杭２，２’を立設し、図１３に示す様な２本タイプのサインポールなどを設置する際に用いるものであり、先行の鋼管杭２を地盤３中に回転貫入させた後、新たに貫入させる鋼管杭２’（後行杭）の螺旋翼４が地盤３中に入り始めた程度の段階で、貫入済みの鋼管杭２（先行杭）の杭頭部と貫入中の鋼管杭２’（後行杭）の胴体部とを鋼板１９，１９で挟み込み、留め具２０で留めて離間距離保持具１８を一対の鋼管杭２，２’に取付ける。この状態において、鋼管杭２’（後行杭）の所定深度までの回転貫入作業を行えば、２本の鋼管杭２，２’の離間距離は一定に保たれる。
【００４６】
この様にして、鋼管杭２’（後行杭）の貫入作業が終了したら、前述の実施例１の場合と同様に、支柱１の立設作業を行い、２本タイプのサインポールの設置を完了する。、なお、立設作業後、離間距離保持具１８は、そのまま残置させても良く、取りはずしても良い。図１１に示す２分割型円環材２３を用いた離間距離保持具１８’を用いた場合も、同様な工程で作業を行う。
【００４７】
更に、３本以上鋼管杭及び支柱からなるサインポールからなる野立て形サインポールの場合も同様であり、隣接した鋼管杭２，２’同士を離間距離保持具１８あるいは１８’によって連結して鋼管杭２，２’の立設作業を行えば、離間距離は常に一定に保持される。
【００４８】
この実施例３においては、離間距離保持具１８あるいは１８’を用いているので、一対の鋼管杭２，２’の離間距離の精度を従来の基礎コンクリートにアンカーを埋め込むタイプと同程度に高めることが出来、２本タイプや３本以上の野立て形サインポールを高い精度で設置出来る効果を有する。
【産業上の利用可能性】
【００４９】
看板の掲示用だけではなく、太陽光発電パネル支持用のポール、風力発電機用ポール、あるいは、道路の信号柱や標識柱などにも利用可能である。
【符号の説明】
【００５０】
１．支柱
２．鋼管杭
３．地盤
４．螺旋翼
５．閉塞板
６．内周壁面
７．位置決め用突起
８．ネジ穴
１０．鋼板
１１．ボルト
１２．硬化性流動物
１３．開口端
１４．地表面
１５．根巻きコンクリート
１６．位置決め用突起
１７．楔
１８．離間距離保持具
１９．鋼板
２０．留め具
２１．透孔
２２．棒状体
２３．二分割型円環材
２４．看板
２５．ネジ穴
２６．鉄片
２７．ずれ止め用突条
２８．補強材
２９．傾斜面
【図１】
2012255917.tif 000003
【図２】
2012255917.tif 000004
【図３】
2012255917.tif 000005
【図４】
2012255917.tif 000006
【図５】
2012255917.tif 000007
【図６】
2012255917.tif 000008
【図７】
2012255917.tif 000009
【図８】
2012255917.tif 000010
【図９】
2012255917.tif 000011
【図１０】
2012255917.tif 000012
【図１１】
2012255917.tif 000013
【図１２】
2012255917.tif 000014
【図１３】
2012255917.tif 000015